(57)【要約】  【課題】薄手の用紙やミシン目の少ない用紙であっても正確に折り込むことができるような折り込み装置を提供する。  【解決手段】連続用紙５の搬送方向に沿って折り込みを形成する折り込み機構１２を設けてなる連続用紙５の折り込み装置２において、この折り込み機構１２を、連続用紙５の紙面側へ向かって突出する第一の突出杆１２１と、この第一の突出杆１２１の先端に設けられた山型ローラ１２２と、この山型ローラ１２２の対向する位置に設けられる受け部材１２３とを設けて構成する。また、この第一の突出杆１２１に対向する斜め位置に、連続用紙５の紙面側へ向かって突出する第二の突出杆１２８を設け、第二の突出杆１２８の先端に、回転軸を傾けた山型ローラ１２９を設ける。  【選択図】  図１
2006036498.tif 000002
【特許請求の範囲】
【請求項１】
連続用紙の搬送方向に沿って折り込みを形成する折り込み装置において、
連続用紙の紙面側へ向かって突出する突出杆と、当該突出杆の先端に設けられた山型ローラと、当該山型ローラの対向する位置に設けられる受け部材とを具備してなる折り込み機構を設けたことを特徴とする折り込み装置。
【請求項２】
前記突出杆に対向する斜め位置に、連続用紙の紙面側へ向かって突出する第二の突出杆を設け、当該第二の突出杆の先端に、回転軸を傾けたローラを設けてなる請求項１に記載された連続用紙の折り込み装置。
【請求項３】
前記突出杆もしくは第二の突出杆を有する補助フレームの少なくとも一部に、連続用紙の搬送方向に対して傾斜する傾斜部を設けるようにした請求項１又は２に記載の連続用紙の折り込み装置。
【請求項４】
前記折り込み機構によって折り込まれた連続用紙の裁断と圧着を行う処理装置本体に対し、前記載置台を斜めに連結するための連結機構を設けてなる請求項１から３いずれか１項に記載の連続用紙の折り込み装置。
【発明の詳細な説明】
【技術分野】
【０００１】
本発明は、連続用紙の搬送方向に沿って折り込みを形成する折り込み装置に関するものであり、より詳しくは、薄手の用紙や、ミシン目の少ない用紙に対しても正確に折り込みを形成することのできる折り込み装置に関するものである。
【背景技術】
【０００２】
近年のハガキなどでは、三つ折りされた見開きページを密着させた折り込みのハガキなどが存在する。このような折り込みハガキは、特殊な接着剤を用いて見開きページを密着させるようにしたもので、一度そのページを開けると、再度そのページを閉じ込めることのできないようにしたものである。
【０００３】
ところで、このようなハガキは、一般に、次のような装置によって生成される。
【０００４】
一般に、このようなハガキ生成装置は、連続用紙の搬送方向に沿って折り込みを形成する折り込み機構と、この折り込まれた連続用紙の裁断と圧着とを行う処理装置本体とを設けて構成される。そして、このような装置を用いて折り込みのハガキを生成する場合、まず、載置台の上に接着剤を有する特殊な連続用紙を載置し、その用紙を蛇行させるように上側及び下側のローラを通し、折り込み機構に導く。この折り込み機構としては、下記の特許文献１に記載されるようなものなどが知られている。この特許文献１の折り込み機構は、球状の先端部分を有する複数の突出杆を交互に対向させて配置させるようにしたものであり、その突出杆を連続用紙に押圧させてＺ字状に折り込めるようにしたものである。そして、このように折り込まれた連続用紙を、その下流側に設けられたローラに挟み込み、その後、定型のサイズに裁断して圧着ローラで圧着するようにしている。
【特許文献１】特開平９−１２２１６号公報
【発明の開示】
【発明が解決しようとする課題】
【０００５】
ところで、近年、このようなハガキなどでは、薄手の用紙や、折り込み部分にミシン目の少ない用紙、例えば、ミシン目である破断部分と非破断部分の長さが一対一となっている用紙などが使用されるようになってきている。
【０００６】
しかしながら、このような薄手の用紙やミシン目の少ない用紙が使用された場合、従来の折り込み機構では、正確に折り込むことができない。すなわち、従来の折り込み機構では、突出杆の先端部分を球状としているため、薄手の用紙やミシン目を多く設けていない用紙では、腰が弱く、また、ミシン目の存在する部分と他の部分との区別ないため、他の部分を折り込んでしまう可能性がある。これを防止すべく、突出杆の先端部分を尖らせるようにすることも可能であるが、このようにすると、今度は、薄手の用紙を破いてしまう可能性がある。
【０００７】
そこで、本発明は上記課題に着目してなされたもので、薄手の用紙やミシン目の少ない用紙であっても正確に折り込むことができるような折り込み装置を提供することを目的とするものである。
【課題を解決するための手段】
【０００８】
本発明は、上記課題を解決するため、連続用紙の搬送方向に沿って折り込みを形成する折り込み装置において、連続用紙の紙面側へ向かって突出する突出杆と、当該突出杆の先端に設けられた山型ローラと、当該山型ローラの対向する位置に設けられる受け部材とを具備するようにしたものである。
【０００９】
このように構成すれば、山型ローラの尖状部分でミシン目を集中的に押圧することができ、連続用紙のミシン目の部分を鋭角に折り込むことができるようになる。しかも、山型ローラが連続用紙に沿って回転するため、薄手の用紙が使用された場合であっても、その用紙を破いてしまうようなことがなくなる。
【００１０】
また、この突出杆に対向する斜め位置に、連続用紙の紙面側へ向かって突出する第二の突出杆を設け、更に、この第二の突出杆の先端に、回転軸を傾けたローラを設けるようにする。
【００１１】
このように構成すれば、例えば、連続用紙を三つ折りするような場合、傾斜した第二の山型ローラによって用紙に折り込みを形成しながら閉じ込みを行うことができるようになる。
【００１２】
更に、突出杆もしくは第二の突出杆を有する補助フレームの少なくとも一部に、連続用紙の搬送方向に対して傾斜する傾斜部を設けるようにする。
【００１３】
このように構成すれば、折り込み装置を処理装置本体に対して斜めに配置する場合、その傾斜部によって補助フレームが処理装置本体に接触することがなくなり、より接近した位置に折り込み装置を配置することができるようになる。
【００１４】
加えて、連続用紙の裁断と圧着を行う処理装置本体に対し、載置台を斜めに連結するための連結機構を設けるようにする。
【００１５】
このように構成すれば、処理装置本体に対して載置台を斜めに固定することができ、連続用紙が高速に引き出された場合であっても、その連続用紙の引き出しに伴って載置台がずれることがなくなる。これにより、載置台のずれに基づくジャムなどを防止することができるようになる。
【発明の効果】
【００１６】
本発明は、連続用紙の搬送方向に沿って折り込みを形成する折り込み装置において、連続用紙の紙面側へ向かって突出する突出杆と、当該突出杆の先端に設けられた山型ローラと、当該山型ローラの対向する位置に設けられる受け部材とを具備してなる折り込み機構を設けるようにしたので、山型ローラの尖状部分でミシン目を集中的に押圧することができ、連続用紙のミシン目の部分を鋭角に折り込むことができるようになる。しかも、山型ローラが連続用紙に沿って回転するため、薄手の用紙が使用された場合であっても、その用紙を破いてしまうようなことがなくなる。
【発明を実施するための最良の形態】
【００１７】
以下、本発明の一実施の形態について図面を参照して説明する。図１はこの折り込み装置２の外観斜視図、図２は折り込み機構１２の近傍における平面図、図３は図２におけるＡ−Ａ断面図である。また、図４はハガキ生成装置１による連続用紙５の折り込み状態を示す外観斜視図であり、図５は、処理装置本体３の側面概略図、図６は、処理装置本体３の前段部分を示す外観斜視図である。
【００１８】
この実施の形態におけるハガキ生成装置１は、図１もしくは図４に示すような連続用紙５に折り込みを形成するための折り込み装置２と、この折り込まれた連続用紙５に対して裁断と圧着を行うための処理装置本体３とを具備してなる。この折り込み装置２は、処理装置本体３に対して分離可能に設けられ、後述する連結機構１３によって任意の角度で連結される。なお、この実施の形態においては、折り込み装置２と処理装置本体３によってハガキ生成装置１を構成するようにしているが、これとは別に、圧着されたハガキ５０を区分けして集積する区分け装置を設けるようにしても良い。以下、本実施の形態について詳細に説明する。
【００１９】
このハガキ生成装置１を構成する折り込み装置２は、図４に示すようなジグザグ状の連続用紙５を載置する載置台１０と、この載置台１０に載置された連続用紙５の一端を引き出す引き出し機構１１と、この引き出し機構１１によって引き出された連続用紙５を折り込む折り込み機構１２とを具備してなる。
【００２０】
この折り込み装置２の載置台１０は、連続用紙５を載置する平面部１００を設けてなり、その下方に設けられたキャスター１０１によって移動可能に構成される。そして、この載置台１０の両側には、それぞれ対をなす第一の支柱１０２及び第二の支柱１０３を設け、この第一の支柱１０２及び第二の支柱１０３に引き出し機構１１と折り込み機構１２を設けている。
【００２１】
この引き出し機構１１は、第一の支柱１０２の上端に設けられる引き出し部材１１０と、第二の支柱１０３の下方に設けられた誘導部材１１１を設けている。この引き出し部材１１０と誘導部材１１１とは、ともに水平な回転ローラによって構成されるもので、ジグザグ状に折り畳まれた連続用紙５を上側に引き出した後、誘導ローラまで引き下げて連続用紙５のジグザグ状のクセを取り除けるようにしたものである。
【００２２】
また、この第二の支柱１０３の上方には、連続用紙５に折り込みを形成する折り込み機構１２が設けられる。この折り込み機構１２の詳細を、図１から図３に示す。この折り込み機構１２は、水平状に設けられた第一の補助フレーム１２０及び第二の補助フレーム１２４設け、この第一の補助フレーム１２０及び第二の補助フレーム１２４に第一の突出杆１２１や第二の突出杆１２８、受け部材１２３などを設ける。この折り込み機構１２の構成について詳細に説明する。
【００２３】
第一の補助フレーム１２０は、第二の支柱１０３の内側から突出するように設けられ、また、第二の補助フレーム１２４は、第二の支柱１０３の外側に向かって傾斜部１２５及び対向部１２６を設けて構成される。この傾斜部１２５は、折り込み装置２を処理装置本体３に斜めに連結した場合に、第二の補助フレーム１２４が処理装置本体３に接触しないように設けられる。
【００２４】
この第一の補助フレーム１２０の先端部分には、山型ローラ１２２を有する第一の突出杆１２１が設けら、更に、これに対向する位置に受け部材１２３が設けられる。この受け部材１２３は、先端を球形とした棒状のもので、この２本の受け部材１２３と山型ローラ１２２との間に連続用紙５のミシン目部分を挟み込み、山型ローラ１２２で押圧することによってそのミシン目部分に折り込みを形成できるようにしたものである。なお、この受け部材１２３については、棒状の構成に限らず、山型ローラ１２２に対応するＶ字状の凹部を有するローラによって構成しても良い。
【００２５】
更に、この第一の突出杆１２１に対向する第二の補助フレーム１２４の斜め位置には第二の突出杆１２８が設けられる。この第二の突出杆１２８は、連続用紙５をＺ字状に折り込むべく第二の補助フレーム１２４から突出させるようにしたもので、第一の突出杆１２１と同様に、その先端部分に連続用紙５のミシン目を押圧しながら回転する山型ローラ１２９を設ける。この第二の突出杆１２８の山型ローラ１２９は、連続用紙５に折り込みを形成しながらその見開きページを閉じ込めるようにすべく、その回転軸を傾斜させるようにしている。具体的には、この第二の突出杆１２８及び山型ローラ１２９は、第一の突出杆１２１と同じ構成を有し、図３に示すように、その第一の突出杆１２１を回転させた状態で第二の補助フレーム１２４に取り付けるようにしている。これにより、山型ローラ１２９が回転することによって折り込みと同時に連続用紙５を閉じ込むことができるようになる。この第二の突出杆１２８は、その基端部に設けられたＣ型金具１２８ａ（図２、図４参照）の締め付け状態を緩めることによって、その傾斜角度や突出長さを任意に変更できるようにしている。また、この第二の突出杆１２８は、その取り付け位置を移動できるように構成されている。この取り付け位置の移動は、第二の補助フレーム１２４の先端近傍に設けられた複数の取付孔１２７を適宜選択し、この取付孔１２７に第二の突出杆１２８をネジ止めすることによって行われる。これにより、幅の寸法の異なる連続用紙５に対応することができる。
【００２６】
そして、このように構成された折り込み装置２を使用する場合、図２に示すような連結機構１３によって処理装置本体３に所定の角度をなして固定される。
【００２７】
この連結機構１３は、処理装置本体３（図２では破線で示す）の角部近傍に対して回転可能に軸支される軸部１３０と、任意の角度で処理装置本体３に連結固定するための連結杆１３１とを設けて構成される。折り込み装置２を固定する場合、軸部１３０を中心に折り込み装置２を最適な角度で配置するとともに、その状態で連結杆１３１を処理装置本体３に連結して固定する。この連結杆１３１は、一方を折り込み装置２に回転可能に軸支され、他端側を処理装置本体３の下面に設けられた長孔１３２にネジ止めして固定される。そして、連結時においては、処理装置本体３の長孔１３２に連結杆１３１の一端を固定することによって最適な角度で連結できるようにしている。このようにして折り込み装置２を処理装置本体３に連結することにより、次に示すようにして連続用紙５を閉じ込んだ状態で処理装置本体３側に搬送することができる。
【００２８】
まず、図４に示すように、連続用紙５の一端側をＡ点、第一の突出杆１２１に当接するミシン目部分をＢ点、第二の突出杆１２８に当接するミシン目部分をＣ点、連続用紙５の他端側をＤ点とした場合、折り込み機構１２によって、Ｃ点がＡ点に一致し、また、Ｄ点がＢ点に一致するように折り込まれる。通常、紙はその紙面の法線方向に対してのみ撓むことができるため、当初Ｘ１方向にしか撓むことのできなかった連続用紙５は、今度は角度を変えてＸ２方向にしか撓むことができなくなる。このとき、折り込み装置２を傾斜させた状態で処理装置本体３に連結すると、このＸ１方向からＸ２方向へスムーズに撓みの方向を変更させることができるようになる。これにより、無理なく連続用紙５を閉じ込んだ状態で処理装置本体３側に搬送することができるようになる。
【００２９】
次に、この折り込み装置２に連結される側の処理装置本体３の構成について説明する。
【００３０】
処理装置本体３は、図５に示すように、折り込まれた連続用紙５を挟み込む挟持ローラ２０と、連続用紙５の両側部分に設けられた搬送孔５１に嵌合して連続用紙５を搬送する搬送機構２２と、この搬送機構２２によって搬送された連続用紙５を縦方向及び横方向に裁断する裁断機構２３と、この裁断機構２３によって裁断された用紙を上下方向から圧着する圧着ローラ２４とを具備してなる。
【００３１】
この挟持ローラ２０は、折り込み装置２によって折り込まれた連続用紙５を上下に挟み込んで完全に折り込めるようにしたものである。この挟持ローラ２０の下流側には、連続用紙５の両側をガイドするためのガイド機構２１が設けられ、搬送方向の変えた連続用紙５を強制的にガイド片２１０に沿って搬送しうるようにしている。このガイド機構２１は、図６に示すように、左右二つのガイド片２１０と、このガイド片２１０をスライド可能に支持するためのバー２１１とを設けて構成されるもので、このガイド片２１０をスライドさせ、任意の位置で固定することによって連続用紙５の幅に対応できるようにしている。
【００３２】
搬送機構２２は、連続用紙５の両側に設けられた搬送孔５１に嵌合して連続用紙５を搬送するもので、連続用紙５の搬送孔５１に嵌合する嵌合突起２２０（図５参照）と、この嵌合突起２２０に嵌合された連続用紙５を上側から覆うカバー体２１１（図６参照）とを具備してなり、この嵌合突起２２０を搬送方向にスライド回転させることによって連続用紙５を搬送させる。このカバー体２１１は、側方の図示しないヒンジ機構を介して開閉可能に構成される。また、この嵌合突起２２０及びカバー体２１１は、その下方に設けられたスクリューネジ機構２２２によってその軸方向（連続用紙５の幅方向）にスライドできるように構成される。
【００３３】
裁断機構２３は、連続用紙５の側辺に設けられた搬送孔５１を裁断する縦方向裁断機構２３０と、連続用紙５を搬送方向と垂直な方向に裁断する横方向裁断機構２３３とを備えて構成される。このうち縦方向裁断機構２３０は、回転刃２３１と受刃２３２とを設けて構成されるもので、これらを回転させることによって連続用紙５の両側部分をミシン目に沿って裁断する。また、横方向裁断機構２３３は、用紙を搬送する２本の回転ローラ２３４の間に裁断刃２３５を設けてなるもので、下流側のローラを高速回転させることによって張力を付与し、その際、連続用紙５のミシン目に裁断刃２３５を当接させることによって裁断できるようにしたものである。
【００３４】
また、圧着ローラ２４は、この裁断された用紙を上下方向から圧力を加えて見開きページを圧着できるようにしたもので、一次圧着ローラと二次圧着とによって用紙に所定の圧力を加え、接着剤を溶解させて圧着できるようにしたものである。
【００３５】
次に、このように構成された処理装置本体３を用いて連続用紙５から折り込みハガキ５０を生成する場合の動作について説明する。
【００３６】
まず、接着剤を塗布した特殊な連続用紙５から折り込みハガキ５０を生成する場合、その連続用紙５を載置台１０の上に載置し、その一端を手で引き出して、第一の支柱１０２の上側の引き出し部材１１０及び第二の支柱１０３の下側の誘導部材１１１を通す。そして、その先端部分を軽く搬送方向に沿って手で折り込み、その部分を折り込み機構１２に通す。そして、このＺ字状に折り込まれた状態の連続用紙５を処理装置本体３側の挟持ローラ２０に挟み込み、ガイド機構２１のガイド片２１０の幅を調整した上で、搬送機構２２まで引き込む。この搬送機構２２へ連続用紙５をセットする際は、まず、カバー体２１１を開放し、その内側の嵌合突起２２０に連続用紙５の搬送孔５１を嵌合させる。そして、カバー体２１１を閉じる。
【００３７】
この状態で処理装置本体３の電源をオンにすると、搬送機構２２が駆動し、連続用紙５が搬送し始める。この搬送によって、連続用紙５は、順次折り込み機構１２によって連続的にＺ字状に折り込まれ、挟持ローラ２０によって完全に折り込まれた後、縦方向裁断機構２３０によって両側の搬送孔５１の存在する部分が縦長方向に裁断される。そして、今度は、速度差を有する回転ローラ２３４によって連続用紙５に張力を付与し、裁断刃２３５によって横方向に裁断する。そして、このようにして裁断されたハガキ５０を圧着ローラ２４側に搬送し、一次圧着と二次圧着を行って見開きのページを非可逆的に圧着する。
【００３８】
このように、上記実施の形態によれば、連続用紙５の搬送方向に沿って折り込みを形成する折り込み機構１２を設けてなる連続用紙５の折り込み装置２において、この折り込み機構１２を、連続用紙５の紙面側へ向かって突出する第一の突出杆１２１と、この第一の突出杆１２１の先端に設けられた山型ローラ１２２と、この山型ローラ１２２の対向する位置に設けられる受け部材１２３とを設けるようにしたので、山型ローラ１２２の尖状部分でミシン目を集中的に押圧することができ、連続用紙５のミシン目の部分を鋭角に折り込むことができるようになる。しかも、山型ローラ１２２が連続用紙５に沿って回転するため、薄手の用紙が使用された場合であっても、その用紙を破いてしまうようなことがなくなる。
【００３９】
また、この第一の突出杆１２１に対向する斜め位置に、連続用紙５の紙面側へ向かって突出する第二の突出杆１２８を設け、第二の突出杆１２８の先端に、回転軸を傾けた山型ローラ１２９を設けるようにしたので、連続用紙５をＺ字状に折り込むと同時に、見開きページを閉じ込むことができるようになる。
【００４０】
更に、第二の突出杆１２８を有する第二の補助フレーム１２４に、連続用紙５の搬送方向に対して傾きを有する傾斜部１２５を設けたので、折り込み装置２を処理装置本体３に対して斜めに配置した場合であっても、第二の補助フレーム１２４が処理装置本体３に接触するようなことがなくなり、より接近した位置に折り込み装置２を配置することができるようになる。
【００４１】
加えて、連続用紙５の裁断と圧着を行う処理装置本体３に対し、載置台１０を斜めに連結するための連結機構１３を設けるようにしたので、処理装置本体３に対して載置台１０を傾斜させて固定することができ、連続用紙５が高速に引き出された場合であっても、その連続用紙５に引きずられて載置台１０が移動してしまうということがなくなる。また、これに伴って、折り込み不良に基づくジャムなどを防止することができるようになる。
【００４２】
なお、本発明は上記実施の形態に限定されることなく、種々の態様で実施することができる。
【００４３】
例えば、上記実施の形態においては、連続用紙５からハガキ５０を生成する場合について説明したが、これに限らず、他の用途の折り込み用紙を生成する場合についても適用することができる。
【００４４】
また、上記実施の形態では、第一の補助フレーム１２０側に第一の突出杆１２１を設け、また、傾斜部１２５を有する第二の補助フレーム１２４側に受け部材１２３と第二の突出杆１２８とを設けるようにしているが、これと逆の構成とするようにしても良い。すなわち、第二の補助フレーム１２４側に第一の突出杆１２１を設け、また、第一の補助フレーム１２０側に受け部材１２３や第二の突出杆１２８を設けるようにしても良い。
【図面の簡単な説明】
【００４５】
【図１】本実施の形態における折り込み装置２の外観斜視図
【図２】同形態における折り込み機構近傍の平面図
【図３】図２におけるＡ−Ａ断面図
【図４】同形態における連続用紙を折り込む状態を示す外観斜視図
【図５】処理装置本体の側面概略図
【図６】処理装置本体の前段部分を示す概略図
【符号の説明】
【００４６】
２・・・折り込み装置
５・・・連続用紙
１３・・・連結機構
５０・・・ハガキ
１２１・・・第一の突出杆
１２２・・・山型ローラ
１２３・・・受け部材
１２４・・・第二の補助フレーム
１２５・・・傾斜部
１２８・・・第二の突出杆
１２９・・・山型ローラ
１３０・・・軸部
１３１・・・連結杆
１３２・・・長孔
【図１】
2006036498.tif 000003
【図２】
2006036498.tif 000004
【図３】
2006036498.tif 000005
【図４】
2006036498.tif 000006
【図５】
2006036498.tif 000007
【図６】
2006036498.tif 000008